(57)【要約】【課題】多様化する映像出力技術毎に専用のプログラムや編集作業を要することなく、テロップ表示の汎用性を向上することができるテロップ表示システムを提供する。【解決手段】複数の共有情報からテロップ作成に必要な情報を解析する解析処理部と、解析処理部で解析した情報を選択的に配信する配信部と、配信した情報に基づいて予め設定した映像モニタの所定表示領域内にテロップ画像を表示するためのテロップ画像データを生成する画像処理部と、を備える。【選択図】図１
2018196076.tif 000002
【特許請求の範囲】
【請求項１】
複数の共有情報からテロップ作成に必要な情報を解析する解析処理部と、
前記解析処理部で解析した情報を選択的に配信する配信部と、
配信した情報に基づいて予め設定した映像モニタの所定表示領域内にテロップ画像を表示するためのテロップ画像データを生成する画像処理部と、
を備えるテロップ表示システム。
【請求項２】
前記画像処理部は、
撮影カメラで撮影したリアルタイムの映像データを前記映像モニタに表示する際に、前記映像モニタの表示領域の一部を前記所定表示領域として、前記撮影カメラで撮影した映像データに基づく画像に重畳又は置換した前記テロップ画像を表示する、
ことを特徴とする請求項１に記載のテロップ表示システム。
【請求項３】
前記画像処理部は、
撮影カメラで予め撮影した映像データを画像再生装置によって前記映像モニタに表示する際に、前記映像モニタの表示領域の一部を前記所定表示領域として、前記撮影カメラで撮影した映像データに基づく画像に重畳又は置換した前記テロップ画像を表示する、
ことを特徴とする請求項１に記載のテロップ表示システム。
【請求項４】
コンピュータに、
複数の共有情報からテロップ作成に必要な情報を解析する解析処理ステップと、
前記解析処理ステップで解析した情報を選択的に配信する配信ステップと、
配信した情報に基づいて予め設定した映像モニタの所定表示領域内にテロップ画像を表示するためのテロップ画像データを生成する画像処理ステップと、
を実行させるテロップ表示方法。
【請求項５】
前記画像処理ステップは、
撮影カメラで撮影したリアルタイムの映像データを前記映像モニタに表示する際に、前記映像モニタの表示領域の一部を前記所定表示領域として、前記撮影カメラで撮影した映像データに基づく画像に重畳又は置換した前記テロップ画像を表示する、
ことを特徴とする請求項４に記載のテロップ表示方法。
【請求項６】
前記画像処理ステップは、
撮影カメラで予め撮影した映像データを画像再生装置によって前記映像モニタに表示する際に、前記映像モニタの表示領域の一部を前記所定表示領域として、前記撮影カメラで撮影した映像データに基づく画像に重畳又は置換した前記テロップ画像を表示する、
ことを特徴とする請求項４に記載のテロップ表示方法。
【請求項７】
コンピュータが、
複数の共有情報からテロップ作成に必要な情報を解析する解析処理機能と、
前記解析処理機能で解析した情報を選択的に配信する配信機能と、
配信した情報に基づいて予め設定した映像モニタの所定表示領域内にテロップ画像を表示するためのテロップ画像データを生成する画像処理機能と、
を実行するテロップ表示プログラム。
【請求項８】
前記画像処理機能は、
撮影カメラで撮影したリアルタイムの映像データを前記映像モニタに表示する際に、前記映像モニタの表示領域の一部を前記所定表示領域として、前記撮影カメラで撮影した映像データに基づく画像に重畳又は置換した前記テロップ画像を表示する、
ことを特徴とする請求項７に記載のテロップ表示プログラム。
【請求項９】
前記画像処理機能は、
撮影カメラで予め撮影した映像データを画像再生装置によって前記映像モニタに表示する際に、前記映像モニタの表示領域の一部を前記所定表示領域として、前記撮影カメラで撮影した映像データに基づく画像に重畳又は置換した前記テロップ画像を表示する、
ことを特徴とする請求項７に記載のテロップ表示プログラム。
【発明の詳細な説明】
【技術分野】
【０００１】
本発明は、テロップ表示システムに関し、特に、放送形態やテキスト文字にとらわれないテロップ表示を可能としたテロップ表示システム、テロップ表示プログラム及びテロップ表示方法に関する。
【背景技術】
【０００２】
従来から、例えば、テレビ放送を受信しているテレビ画像に、緊急速報などのテキスト文字からなるテロップデータを映像データに重畳して表示するインポーズ方式のテロップ表示が周知である。
【０００３】
また、このようなテロップ表示には、例えば、インターネット上の動画サイトなどのように、ユーザが任意で意見等を入力すると、画面上にテロップとして流れるように表示するものもある。この際、投稿の数が多い場合のように、多数のテロップが画面全面に表示されて肝心な画像が見えなくなってしまい、ユーザによっては不要・不快なものとなってしまう。そこで、テロップ表示をキャンセル可能とする技術も知られている（例えば、特許文献１参照）。
【先行技術文献】
【特許文献】
【０００４】
【特許文献１】特開２０１４−２１２４３４号公報
【発明の概要】
【発明が解決しようとする課題】
【０００５】
しかしながら、このようなテロップ表示システムにあっては、ユーザによって任意に消去することができるなどの応用技術であるものの、例えば、テレビ放送、個別の講演会、インターネット動画等、多様化する映像出力技術への対応が十分とは言えなかった。
【０００６】
すなわち、テロップ表示は、予め録画した映像にテキスト文字を重ねるという、フィルム映画の字幕スーパーから発展し、緊急速報などのリアルタイム性が求められるテレビ放送等の映像データへの追加データとして重畳して放送するようになった経緯があるため、テキスト文字の表示という概念が抜けきれていないのが実情である。
【０００７】
一方、リアルタイムで放送される映像に関してはカメラ映像の全画面表示に対して重畳みしたテキスト文字の表示にはテロップ技術を用いているが、録画映像に関しては専門の映像編集技術者が所定のプログラムからなるアプリケーションを用いて作成した編集画面上のデザイン文字や絵などはテロップ技術を十分に用いたものではなく、プログラムの作成や編集作業といった手間を要し、汎用性が低いという問題が生じていた。
【０００８】
本発明は、上述のような課題を解決するために、多様化する映像出力技術毎に専用のプログラムや編集作業を要することなく、テロップ表示の汎用性を向上することができるテロップ表示システムを提供することを目的とする。
【課題を解決するための手段】
【０００９】
上記課題を解決するため、本発明のテロップ表示システムは、複数の共有情報からテロップ作成に必要な情報を解析する解析処理部と、解析処理部で解析した情報を選択的に配信する配信部と、配信した情報に基づいて予め設定した映像モニタの所定表示領域内にテロップ画像を表示するためのテロップ画像データを生成する画像処理部と、を備えるものである。
【発明の効果】
【００１０】
本発明のテロップ表示システムは、多様化する映像出力技術毎に専用のプログラムや編集作業を要することなく、テロップ表示の汎用性を向上することができる。
【図面の簡単な説明】
【００１１】
【図１】本発明の一実施形態に係るテロップ表示システムの説明図である。
【図２】本発明の一実施形態に係るテロップ表示システムにおけるコンピュータが処理する一例のフロー図である。
【図３】本発明の一実施形態に係るテロップ表示システムにおけるメール受信状態を視覚化した説明図である。
【発明を実施するための形態】
【００１２】
次に、本発明の一実施形態に係るテロップ表示システムについて、図面を参照して説明する。なお、以下に示す実施形態は本発明のテロップ表示システムにおける好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組み合せを含む様々なバリエーションが可能である。したがって、以下に示す実施の形態の記載をもって、特許請求の範囲に記載された発明の内容を限定するものではない。
【００１３】
図１において、テロップ表示システム１は、複数の共有情報からテロップ作成に必要な情報を解析する解析処理部２と、解析処理部２で解析した情報を選択的に配信する配信部３と、配信した情報に基づいて予め設定した映像モニタ（Ｐ１，Ｐ２，Ｐ３）の所定表示領域（Ｓ１，Ｓ２，Ｓ３）内にテロップ画像を表示するためのテロップ画像データを生成する画像処理部４と、を備える。
【００１４】
ここで、複数の共有情報とは、不特定多数のユーザが共有することのできる各種情報全般を意味する。これにより、テロップ画像データを生成して公開する場合に、秘匿性や著作権侵害等の問題を気にする必要がないうえ、多岐にわたる共有情報を利用することができる。また、複数の共有情報とは、例えば、企業内の社員のみというように、ある程度限られた複数のユーザのみが共有することのできる各種情報を意味する。これにより、テロップ画像データを生成して公開する場合に、公共性の高い共有情報に加えて信頼性の高い情報を加えた状態でテロップ画像データを生成することができる。さらに、複数の共有情報とは、テロップ画像を生成するために、予め契約している企業等から提供される、当該企業と特定のユーザとの間でのみ共有することができる各種情報を意味する。これにより、テロップ画像データを生成して公開する場合に、信頼性の高い情報のみに基づいてテロップ画像データを生成することができる。
【００１５】
本実施の形態において、複数の共有情報は、例えば、テレビ等の放送業界Ｇ１で予め所有しかつ共有情報としているビッグデータ、各官庁等や都道府県等の公共関連Ｇ２から提供可能な共有情報としているビッグデータ、その他の企業一般Ｇ３等から公開されている共有情報としているビッグデータ、等が該当する。
【００１６】
具体的に、放送業界Ｇ１からは、自社及び他社が所有する気象データ、地図データ、人気データ（業界固有の情報）、交通データ、ＰＯＳデータ、出口調査データ（自社独自データ）、といった各種放送に使用すると思われる各種情報が共有情報として配信される。なお、ここでの共有情報には、他社への提供可能な公共性の高い情報は勿論であるが、テロップ表示契約等を結んでいる場合の自社独自データ（例えば、出口調査データ）も共有情報として利用可能であるものとして説明する。そして、これら各共有情報のうち、テロップ画像データを生成するのに必要な共有情報を、その都度テロップ作成に必要な情報として利用する。
【００１７】
公共関連Ｇ２からは、例えば、都道府県や市区町村で作成した地図データや人口データに加え、道路工事等の情報や体育館等の公共施設情報等を含むインフラデータ、防衛設備に関する防錆設備データ、サイバーテロ行為等のサイバーデータ、選挙後の候補者別・投票所別の所定時間ごと等の開票状況の開票データ等、提供可能な公共性の高い情報が共有情報として配信される。そして、これら各共有情報のうち、テロップ画像データを生成するのに必要な共有情報を、その都度テロップ作成に必要な情報として利用する。
【００１８】
企業一般Ｇ３からは、本社所在地や関連会社等の企業データ、業種に応じた工場や設備等の設備データ、半期決算等の営業成績に関する営業データ、社長交代等の人事に関する人事データ、といった企業の規模等に応じた情報が共有情報として配信される。なお、この企業一般Ｇ３には、ソーシャルネットワークサービス（ＳＮＳ）等を利用して公開した個人情報を共有情報に含ませることができる。そして、これら各共有情報のうち、テロップ画像データを生成するのに必要な共有情報を、その都度テロップ作成に必要な情報として利用する。
【００１９】
なお、この企業一般Ｇ３の共有情報には、企業から配信される情報に限定されるものではなく、テロップ画像の生成に必要な情報（テロップ作成に必要な情報）であれば、例えば、各種センサからの情報等を含み、任意である。
【００２０】
解析処理部２は、複数の共有情報からテロップ画像の生成に必要な情報を解析する。ここで、解析とは、テロップ画像の生成に必要な情報に含まれる一つ以上のデータ全般を、図示しない記憶部に記憶したテロップ表示プグラムにしたがって細かく理論的に調べることによって解析する場合を含む。したがって、テロップ作成に必要な情報は一つのデータ群に限定されることなく、バリエーションに富んだテロップ画像データの生成に供することができる。また、解析とは、一つのデータ群の全般を、図示しない記憶部に記憶したテロップ表示プグラムにしたがって細かく理論的に調べることによって解析する場合を含む。これにより、解析処理部２は、一つのデータ群でテロップ画像データの生成が可能であるか否かを判定し、必要に応じて他の共有情報をテロップ作成に必要な情報として利用し、テロップ画像データの生成に供することができる。さらに、解析とは、一つのデータ群の中から特定のデータのみを解析する場合を含む。これにより、解析処理部２は、一つのデータ群の中から、テロップ画像の生成に必要な情報のみを細かく理論的に調べることによって解析することができる。
【００２１】
したがって、解析処理部２は、例えば、公共関連Ｇ２が配信した開票データが、都道府県別であった場合に、全ての開票データを用いて政党別の当落状況のテロップ画像データデータを生成するための解析を実行することができる。また、開票データが都道府県別であった場合に、東京都の開票データのみ用いてその一つのデータ群の全般から政党別の比例区獲得票と当選者とを含むテロップ画像データを生成するための解析を実行することができる。さらに、開票データが東京都の開票データであった場合に、特定の選挙区における開票データのみを用いてその一つのデータ群の中から特定のデータのみから選挙区別の獲得票数並びに順位を含むテロップ画像データを生成するための解析を実行することができる。
【００２２】
具体的には、解析処理部２は、付加情報受信部５から受信したテロップ作成要求に含まれる付加情報に基づいて、例えば、選挙番組用のテロップ画像データを生成するために必要な情報を解析する。したがって、解析処理部２は、図示しない記憶部に記憶したテロップ表示プログラムに基づいて、テロップ画像データを生成するために必要な共有情報のうちの必要な情報（テロップ作成に必要な情報）を受信して解析する。
【００２３】
配信部３は、解析処理部２で解析した解析結果の出力先を複数の画像処理部４ａ,４ｂ，４ｃから選択的に配信するよう、選択又は切り替えるための機能を有する。配信部３には、解析処理部２で解析した各種の共有情報のうちのテロップ作成に必要な情報に基づいて生成したテロップ画像のテロップ画像データを選択的に配信するアダプタや切替スイッチ等を用いることができる。
【００２４】
なお、複数の画像処理部４ａ,４ｂ，４ｃは、図面の表現上のものであって、これら３つに限定されるものではない。ここで、選択的とは、一例として、複数の画像処理部４ａ,４ｂ，４ｃの全てに対して、すなわち、同時配信を含むものとする。これにより、同一のテロップ画像データを全ての画像処理部４ａ,４ｂ，４ｃで生成することができるため、例えば、緊急地震速報等のテロップ画像データを生成する場合に有用である。また、選択的とは、複数の画像処理部４ａ,４ｂ，４ｃのうちの複数の組み合わせに対する同時配信を含むものとする。これにより、例えば、地域性を有するテロップ画像データを生成する場合に有用である。さらに、選択的とは、複数の画像処理部４ａ,４ｂ，４ｃのうち、特定の一つに対する個別配信を含むものとする。これにより、配信先からの要望に応じたテロップ画像データを生成することができる。
【００２５】
画像処理部４は、一つの画像処理部（画像処理装置）４が配信部３によって選択（又は切り替え）のための選択信号に基づいて、或は、複数の画像処理部４ａ,４ｂ，４ｃを選択したうえで、解析処理部２で解析した情報を配信部３から受信して、配信部３が配信した情報に基づいて予め設定した映像モニタ（Ｐ１，Ｐ２，Ｐ３）の所定表示領域内にテロップ画像を表示するためのテロップ画像データを生成し、それぞれに配信する。以下の説明においては、複数の画像処理部４ａ，４ｂ，４ｃを配置することによって同時期に異なるテロップ画像データを生成することができるようにしている。したがって、解析処理部２でテロップ表示に必要な情報を解析処理し、画像処理部４でテロップ画像データを生成した後に、配信部３で出力先を選択的に配信するよう構成してもよい。
【００２６】
付加情報受信部５は、テロップ画像データの配信先からテロップ作成要求受信する。このテロップ作成要求には、配信先で所望する具体的なテロップ表示のためのテロップ作成要求の内容である付加情報を含んでいる。
【００２７】
付加情報には、配信先情報及びテロップ表示の内容情報（例えば、東京○区の選挙結果を一覧表にする）と、映像モニタ（Ｐ１，Ｐ２，Ｐ３）のどの領域を所定表示領域（Ｓ１，Ｓ２，Ｓ３）にするのか（位置や画角全体に対する縮尺度合いなど）の領域情報と、を最低限含んでいる。なお、付加情報受信部５で受信する付加情報には、テロップ画像データを生成するには不足している情報、例えば、共有情報からは配信されていない情報であって解析処理部２で解析させるために必要な情報を含ませることができる。なお、不足している情報とは、例えば、契約テレビ放送局が投票日当日に独自に調べた出口調査に関する情報などがある。これにより、解析処理部２は、どの共有情報をテロップ作成に必要な情報として用いるのかを決定することができる。なお、上述した配信先から出力されるテロップ作成要求に含まれる付加情報の一例の説明において、「どのような内容のテロップ画像データを生成するのか」は解析処理部２による解析結果であって、実際の付加情報としては、「どのような内容をテロップ表示するのか」の具体的な内容を示す情報となる。
【００２８】
概略的に、付加情報受信部５は、例えば、契約テレビ放送局のサーバ等から選挙速報用のテロップ作成要求を受信し、公共関連Ｇ２から人口データや開票データ等の選挙速報に必要なデータを受信及び解析するための命令信号を解析処理部２に出力する。付加情報受信部５は、契約ホテルのサーバ等からリアルタイムの客室情報用のテロップ作成要求を受信し、企業一般Ｇ３から設備データや予約データ等の客室情報用のデータを受信及び解析するための命令信号を解析処理部２に出力する。付加情報受信部５は、例えば、インターネット上の契約動画配信サイトからＣＭ等のテロップ作成要求を受信し、企業一般Ｇ３からＣＭに関する企業データを受信及び解析するための命令信号を解析処理部２に出力する。
【００２９】
図２は、このようなテロップ表示システム１によるテロップ作成ルーチンのフロー図である。
【００３０】
（ステップ１）
ステップ１において、解析処理部２は、付加情報受信部５がテロップ作成要求を受信したか否かを判定する。解析処理部２は、付加情報受信部５がテロップ作成要求を受信したと判定した場合（Ｙｅｓ)には、ステップＳ２へと移行する。解析処理部２は、付加情報受信部５がテロップ作成要求を受信したと判定しなかった場合（Ｎｏ)には、継続してこのルーチンを監視する。
【００３１】
（ステップＳ２）
ステップＳ２において、解析処理部２は、テロップ作成要求に含まれる付加情報に基づいて、複数の共有情報からテロップ表示に必要な情報を受信し解析し、ステップＳ３へと移行する。
【００３２】
（ステップＳ３）
ステップＳ３において、配信部３は、解析処理部２で解析した情報を、複数の画像処理部４ａ,４ｂ，４ｃのうちのいずれに配信するのかを選択的に決定して配信し、ステップＳ４へと移行する。
【００３３】
（ステップＳ４）
ステップＳ４において、画像処理部４ａ,４ｂ，４ｃは、配信部３が配信した解析処理部２による解析結果（情報）に基づいてテロップ画像のためのテロップ画像データを生成して、配信先に配信する。
【００３４】
次に、テロップ表示システム１による具体的なテロップ表示例を説明する。なお、特別に例示する場合を除いて、以下の説明においては、共有情報の出どころ（Ｇ１，Ｇ２，Ｇ３）、付加情報の具体的な内容、解析処理部２による解析結果の内容、画像処理部４によるテロップ画像データの内容は省略し、利用形態とテロップ画像の種類等の結果のみを説明する。
【００３５】
解析処理部２は、例えば、付加情報が選挙結果速報に関するテロップ画像の作成要求情報を含む場合、放送業界Ｇ１から出口調査データ及び選挙区割りした地図データ等をテロップ表示に必要な情報として解析する。さらに、解析処理部２は、テロップ表示に必要な情報として公共関連Ｇ２の開票データを紐付けて、映像モニタＰ１の所定表示領域Ｓ１に、選挙区割りした都道府県等の地図や、各党別の当選者数・定数に対する当選者数の比率、与野党別の配分、などのグラフをテロップ画像として生成するための情報を解析する。この際、グラフをテロップ画像として生成するための情報には、固定的なグラフを生成するための瞬間的な数値情報に基づく情報でもよいし、配分が変化する円グラフやあたかも立体的に立ち上がる棒グラフのように時系列で異なる数値情報に基づく情報でもよい。
【００３６】
具体的には、図１に示すように、テレビ放送局の場合では、女性アナウンサーが所定表示領域Ｓ１の左端に立っている状態となるように撮影カメラ１１で撮影を行うと、そのカメラ映像データと画像処理部４ａで作成したテロップ表示用の選挙結果データとを画像合成部１２で合成（インポーズ）し、映像モニタＰ１には、あたかも、女性アナウンサーの隣に局内モニタ等があるかのような選挙速報に関するテロップ画像をリアルタイムで表示することができる。
【００３７】
また、解析処理部２は、例えば、付加情報が路線情報に関するテロップ画像の作成要求情報を含む場合、放送業界Ｇ１からの路線図等の地図データを解析し、公共関連Ｇ２から現在の運行状況データを紐付けて、映像モニタＰ１の所定表示領域Ｓ１に、その路線図に対応した混雑区間、遅延区間、不通区間などを色や記号（×印など）で認識し易いようなリアルタイム路線図をテロップ画像として生成するための情報を解析する。
【００３８】
解析処理部２は、例えば、予め作成したビデオ動画灯の画像データを解析し、ＲＧＢ信号から時系列で所定の表示領域を映像モニタＰ２のどこに配置すればよいかの解析を行うこともできる。これにより、例えば、観光地等におけるホテルロビーの受付背面に設置した映像モニタＰ２に観光地のＰＲ映像を流すと共に、受付に必要な情報（例えば、予約した部屋番号や部屋の間取り図、現在の空き情報等）をテロップ画像として表示するための領域を決定することができる。解析処理部２は、このようなテレビ放送とは異なる個々の画像出力に対しても解析処理を行うことができる。
【００３９】
これにより、ホテルのロビーにあっては、ＰＲ用のビデオ画像データを画像再生装置２１から配信して映像モニタＰ２に表示可能とするとともに、そのビデオ画像データと画像処理部４ｂで生成したリアルタイムの客室情報に関する情報データとを画像合成部２２で合成（インポーズ）し、所定表示領域Ｓ２に、文字だけでなく絵柄や写真等を含む客室情報に関するテロップ画像を予め撮影した動画に対して表示することができる。
【００４０】
解析処理部２は、例えば、インターネット上で配信される動画情報をスマートフォン等の携帯端末の小さな映像モニタＰ３に対しても、映像モニタＰ３の縦横比等に依存しない配分比で所定表示領域Ｓ３を決定することができる。
【００４１】
これにより、携帯端末にあっては、動画配信サイトからビデオ画像データをダウンロードして映像モニタＰ３に表示可能とするとともに、その動画配信サイトのビデオ画像データと画像処理部４ｃで生成したＣＭテロップ画像に関する企業データとをクラウド上で合成（インポーズ）し、所定表示領域Ｓ３に、文字だけでなく絵柄や写真等を含むＣＭに関するテロップ画像を表示することができる。
【００４２】
なお、付加情報受信部５は、上述したように解析処理部２で解析するために必要なデータを放送業界Ｇ１、公共関連Ｇ２、企業一般Ｇ３等から受信させるものであるが、例えば、自動車等の車両用安全監視システムにとうにも適用することができる。具体的には、複数台の安全監視用カメラ、例えば、ドアミラーやリヤバンパー等に設置の車載カメラ、から受信した映像データに基づいて車両内部に設置した映像モニタ（ナビゲーションシステム用モニタ、ルームミラー、ヘッドアップディスプレイ等）にカメラ映像（車体周囲映像や俯瞰映像）を表示する。そして、車両用安全監視システムは、運転者が識別し難い障害物を認識したことにより付加情報受信部５にテロップ作成要求を出力する。付加情報受信部５は、このテロップ作成要求に基づいて障害物の種類や大きさ等を解析処理部２で解析し、運転者が識別し易いように色等を置き換えた疑似の障害物画像をテロップ画像として表示することができる。また、車両用安全監視システムは、シフトレバーが後退位置に切り替えられたときに、付加情報受信部５に対して、ステアリング角度情報・速度情報・ジャイロ情報等を解析処理部２で受信するよう要求し、これらの情報を解析処理部２で解析することによって後退方向予測ライン画像等をテロップ画像として表示することも可能である。
【００４３】
さらに、付加情報受信部５は、例えば、車両用のナビゲーションシステムを利用してＧＰＳの位置情報を受信するとともに、公共関連Ｇ２から現在位置を含む所定範囲内に設置のインフラデータを共有情報のうちのテロップ作成に必要な情報として解析処理部２で受信して解析し、地図情報表示モニタ（映像モニタ）に充電スタンドマークや位置情報等のテロップ画像を表示することもできる。
【００４４】
このように、付加情報受信部５は、テロップ画像の出力先に応じて、テロップ画像出力先からのテロップ作成要求の各内容を付加情報として、或はその他（例えば、上述したナビゲーションシステム）などのシステム要求に基づいて作成すべきテロップ作成要求の各内容を付加情報として、を放送業界Ｇ１、公共関連Ｇ２、企業一般Ｇ３、その他（例えば、ナビゲーションシステムや後述するＩｏＴ等）から受信させる。解析処理部２は、この付加情報に基づいてテロップ画像の生成に必要な情報として受信し解析する。
【００４５】
したがって、テロップ表示システム１は、複数の共有情報からテロップ作成に必要な情報を解析（図２のステップＳ２）する解析処理部２と、解析処理部２で解析した情報を選択的に配信（図２のステップＳ３）する配信部３と、配信した情報に基づいて予め設定した映像モニタＰ１，Ｐ２，Ｐ３の所定表示領域Ｓ１，Ｓ２，Ｓ３内にテロップ画像Ｔを表示するためのテロップ画像データを生成（図２のステップＳ４）する画像処理部４と、を備えることにより、出力先の映像出力媒体に依存することがないうえ、多様化する映像出力技術毎に専用のプログラムや編集作業を要することなく、テロップ表示の汎用性を向上することができる。
【００４６】
ところで、テロップ表示システム１は、上述したほかに、付加情報受信部５からの作成すべきテロップ画像の生成要求に基づいて解析処理部２で必要な情報を受信及び解析することができれば、さまざまな分野においてテロップ技術として応用が可能である。以下、その他のテロップ画像生成例を示す。例えば、近年の車両では、カメラ技術の小型化・高画角等が進むうえ、俯瞰画像等の生成技術も発展してきている。
【００４７】
このため、例えば、車体側面から突出しているドアミラーに代わるカメラシステムの提供など、複数のカメラを車両に搭載し、ヘッドアップディスプレイやルームミラーに、カメラ画像を映し出す技術も出始めている。
【００４８】
一方、トンネル内の走行時にはヘッドランプの点灯が義務付けられているものの、実際に点灯して走行していない車両等も見受けられ、ルームミラーやドアミラーに移り難いという現実も発生してきている。
【００４９】
そこで、ダミーの車両画像をテロップとして用い、カメラや障害物センサ等が公報の車両を検出しているときに、後方のどれくらいに位置に後続車が存在しているのかを、例えば、ルームミラーの大きさを基準として縮小・拡大して見掛け上で後続車が写り込んでいるような合成画像を再生することも可能である。
【００５０】
また、近年では、テレビ等の高解像度化が進み、所謂４Ｋ・８Ｋというテレビも普及しつつある。このような高解像度のテレビは、例えば輪郭等がシャープとなるため、文字によるテロップをそのまま合成したのでは逆に目立ちすぎてしまう、あたかも、立体文字のように見えてしまう、と指摘されてもいる。
【００５１】
そこで、このような場合、文字等は２Ｄに対応したテロップとするとともに、図柄等は３Ｄの立体画像とする、というように状況に応じて２Ｄ／３Ｄを分けてもよい。
【００５２】
また、近年のテロップ技術は、人手による作業では処理速度が追い付かないうえに信頼性にも影響が出てしまう可能性を考慮して、公営競技のオッズの計算はコンピュータによって処理している場合が多い。
【００５３】
その一方で、オッズの一覧にあっては数字のみのテロップ技術を応用しているものがあり、見易さと楽しさを含む新たな表示形態も期待されている。
【００５４】
そこで、このようなオッズをグラフ化したテロップとして表示すれば、具体的な数字だけではなく、一目で人気の高低を利用者が知ることができる。
【００５５】
なお、迅速性が要求されるテロップ技術の利用分野としては、例えば、各種スポーツの実況生中継がある。このようなスポーツ中継では、複数台のＴＶカメラを用いたカメラ映像を場面に応じてディレクター等による人為的なスイッチング切り替え操作によって出力映像が切り替わる。なお、以下の説明では、リアルタイムの生中継の場合で説明するが、上述したように、後に放送するための編集の際に本技術を利用することも可能である。
【００５６】
例えば、各種スポーツ中継の際には、時系列で大別すると、試合開始前、試合中、野球における攻守交替やサッカー等のハーフタイムなどのインターバル、試合終了後、のように映像の種類が異なる状況を定することができる。
【００５７】
例えば、試合開始前であれば、チームやメンバーの紹介といった静的なカメラ映像、或は、練習風景などの切り替え台数が少ない固定的なカメラ映像を用いる場合が多い。このような場合、例えば、先発メンバーの情報を共有情報として取得するとともに、所定表示領域としては、ゲームフィールドのカメラ映像にポジションや選手名といったテロップ映像をマッピングするといったように、全画面を広く使用したテロップ表示が可能である。なお、解析処理部２は、例えば、「Ａチームスタメン」などの簡素な命令信号（指令信号）を受信することにより、共有情報から対応するゲームのＡチームのスターティングメンバーの名前や顔写真等を含むテロップ映像の元となるデータを取得すればスターティングメンバー紹介のテロップ映像を画面に表示させることができる。
【００５８】
これに対し、試合中であれば、選手やボールの動きによって目まぐるしくＴＶカメラからのカメラ映像が切り替えられる。なお、このような試合中であっても、例えば、アイススケート・体操・陸上競技のように事前に選手等の動きを予測できる場合と、野球・サッカー・バスケットボールのような広いフィールド内における選手やボール等の動きを予測できない場合と、がある。
【００５９】
そこで、選手等の動きを予測できる場合、ＴＶカメラの切り替えや画面割等も事前に設定することができるため、所定表示領域もＴＶカメラ単位で事前に設定することは容易である。したがって、このような場合には、例えば、アイススケートや体操であれば、演技プログラム情報や過去の演技情報を共有情報として取得し、予定しているジャンプ種類等の名前或は難易度といった文字、ジャンプ種類に応じたイメージ画像、を所定領域にテロップ表示することができる。
【００６０】
また、フィールド内における選手やボール等の動きを予測できない場合であっても、例えば、フィールド全体を撮影するＹＶカメラ、特定の選手を追いかけるＴＶカメラ、ボールを主として追いかけるＴＶカメラ、といったように役割が決まっている場合がある。このような場合、攻撃側と守備側との関係でボールや選手が画面の右から左に動く可能性が高いのか、左から右に動く可能性が高いのか、といった大まかな動きはカメラ単位で予測できないわけではない。したがって、例えば、選手やボールが動かないであろう領域（逆でもよい）をＴＶカメラごとに事前に所定領域として設定しておけば、得点情報やカウント情報、或は選手情報等を共有情報として取得し、その場面に応じたテロップ画像を所定領域に表示することができる。
【００６１】
このように、迅速性が要求される各種スポーツの分野であっても、共有情報を取得することにより、テロップ画像データを生成して所定領域にテロップ画像を表示することができる。
【００６２】
なお、このようなスポーツ中継の場合、主として自社で蓄積した各種情報を共有情報の一つとして用いるほか、例えば、各スポーツ協会等から提供される選手情報や演技プログラム情報、或は、時刻・天気・風向き・高さ（海抜）・地図といった公共情報、を共有情報の一つとして取得する。これにより、様々なテロップ画像を表示することができる。
【００６３】
ここで、解析処理部２で実行するテロップ画像作成プログラムは、付加情報取得部５で取得した付加情報を解析して共有情報を含む必要なデータとして、各ゲームのランニングスコア等のデータを参照して送出する素材データ、得点を＋１するなどのコマンドデータ、各ゲーム用として独自に作成した電子テロップデータの選択・抽出・保存機能、を実行することができるようになっている。
【００６４】
また、共有情報には、球場や競技場に関する情報として、天候・気温・風向き・入場者数等を含む。共有情報には、大会名・主催者・チーム戦績（直接対戦戦績）、チーム歌・校歌・応援歌、実況アナウンサー名並びに解説者の関連情報等を含む。
【００６５】
さらに、これらの共有情報及び共有情報に基づいて生成したテロップ画像データは、ニュース番組やスポーツ番組等でテロップ表示するための素材情報としてコンバートすることも可能である。
【００６６】
以下、一例として、マラソン・駅伝といった陸上競技、野球・サッカー・ラグビー等のチーム戦を主とする球技といった各種スポーツ中継時におけるテロップ画像データの生成例を列挙する。なお、例えば、各種陸上競技・体操競技・体操競技など、いちいち例示しないが、個人並びにチームに関する情報及び経過情報等を共有情報として種類に応じたテロップ画像データを生成することができる。
【００６７】
（マラソン・駅伝）
解析処理部２は、共有情報として現在位置情報をリアルタイムで取得するとともに、スタート地点又は区間スタート地点の位置情報を取得して現在走行距離を算出する。解析処理部２は、共有情報として各中継車の現在位置情報（又は距離差情報）を取得して前走者（トップ）からどれだけ離れているかの距離に置き換えるための離間距離を算出する。解析処理部２は、共有情報として現在位置情報をリアルタイムで取得するとともに、ゴール地点又は区間ゴール地点の位置情報を取得して残りの距離を算出する。解析処理部２は、これらの共有情報を利用して算出した結果に基づいて、リアルタイムで、現在走行距離、トップとの離間距離、ゴールまでの残り距離、に関するテロップ画像データを生成する。なお、解析処理部２は、時刻情報及び走行距離情報を取得することにより、所要時間やゴール予測時間等を算出し、タイマ情報としてテロップ画像を生成することも可能である。
【００６８】
（各種球技等）
解析処理部２は、共有情報として対戦チーム或はリーグ全体の選手個人の戦績を含む多種多様な個人データを取得する。解析処理部２は、共有情報として、その日に開催されるゲームに関するチーム全体のチーム名・チームロゴ・戦績を含む多種多様なチームデータを取得する。また、解析処理部２は、共有情報としてスポンサー企業から提供されるスポンサーデータを取得することも可能である。解析処理部２は、共有情報として自社で作成した試合経過に関する情報のほか、競技場や協会等から提供される各種情報を取得して試合経過に関するテロップ画像データを生成することができる。なお、競技場から提供される各種情報には、例えば、選手情報や他の競技場における経過情報などのように電光掲示板等に表示するための表示情報を含ませることができる。これにより、正確かつ迅速な経情報を共有情報として利用することができる。
【００６９】
ここで、今までのテロップ画像表示を行う場合を説明する。例えば、プロテニスの場合では、３セット・５セットのマッチ数、シングル・ダブルス別の成績、国籍、国籍ロゴ、といった多種多様なゲームに関する情報や選手個人の情報を直接入力するとともに、その都度累積してテロップ画像表示専用のデータとして蓄積していた（事前データ編集）。しかしながら、これら多種多様なデータは、付加情報取得部５からの要求に応じて解析処理部２が共有情報から取得することとなるため、自社専用のデータ以外の情報の取得や管理等が不要となる。
【００７０】
同様に、今までのテロップ画像表示を行う場合には、例えば、中継画面と同様に作成されている仮想コートで用意されたサーブ、エース、ミス等に対応したオンエアー操作用のキーボードとマウスとを用いて、ラリー通りにマウス操作を行うことで各ポイントの編集を行っていた（オンエアーデータ入力）。しかしながら、これらのオンエアーデータの入力は、解析処理部２で解析するために必要なデータを放送業界Ｇ１、公共関連Ｇ２、企業一般Ｇ３等から受信させるために付加情報取得部５に供給する命令データ（指令データ）に置き換えることができるため、不要若しくは簡素化することが可能となる。したがって、このオンエアーデータ入力後に実際にオンエアー（テロップ画像表示）させるためのオンエアー送出操作も人手によることなく解析処理部２で処理することができる。
【００７１】
さらに、現状のテロップ技術は、作成側・利用側の双方で描画プログラムを作成しないと、所望のテロップ画像をリアルタイムで合成表示させることができないという問題もある。
【００７２】
しかしながら、実際のテロップ画像は、出力先がコンピュータ（作成側）であるのかテレビであるのかのように、出力先が違うだけであって作成側と利用側とで描画プログラムの共用化が臨まれている。
【００７３】
一方、テロップを一つのモノのインターネット（ＩＯＴ）として定義付けすることも可能であり、上述したように配信部３を介在させたスイッチング技術を用いることで出力先を選ぶ必要がなくなる。
【００７４】
ＩｏＴは、複数の通信方式と連携しながらインターネット網に対して、各種センサや機器とゲートウエイを介して接続することができる。そして、これらから情報を収集して可視化（テロップ化）することにより、様々な問題を解決することができる。この際、見聞きすることができない情報であってもセンサにより数値化して収集することが可能となる。これにより、各種センサと通信機能を持ったモノ達、例えば、玄関ドアのセンサが開放検出をすると、あたかもドア自体が「玄関ドアが開いているよ」というテロップ画像を表示させることができる。
【００７５】
また、ＩｏＴで離れたモノの状態を知ることができるため、上述した放送業界Ｇ１、公共関連Ｇ２、企業一般Ｇ３からの情報が不要若しくは補足が可能となる。
【００７６】
具体的には、環境モニタにより、温度、湿度、気圧、照度、騒音等の情報をインターネット経由で受信することができる。モーションモニタにより衝撃、振動、傾斜、転倒、落下、移動等を受信することができる。ロケーションモニタにより存在検知、近接検知、通過検知等を受信することができる。開閉モニタによりドア、窓、戸棚、引き出し、その他の開閉を受信することができる。その他、ＩｏＴで施錠の状態、留守中のペットの行動、観葉植物の土壌の水分量や水やりのタイミング、を受信することができるばかりでなく、エアコンの電源入切や照明のＯＮ／ＯＦＦ制御といった操作を連動させるとともに、これらを疑似化したテロップ画像を創出することも可能となる。
【００７７】
したがって、出力先の画角や縦横比、表示位置、といった計算対象さえ明確であれば、配信部３を切り替えることにより、例えば、入力情報として緯度・経度にＩＰアドレス（サーバの位置）を入れるとどのサーバからどのサーバにメールを送ったのかが自明となる。このため、図３に示すように、世界地図に送信先と受信先とのマーキングテロップ並びに送信方向を示す移動矢印Ｙ等の図柄テロップを重ね合わせれば、ビューワの中身が逐次変わるサイバー攻撃表示システム等にも利用することができる。この際、付加情報受信部５は、例えば、契約企業のメールサーバで受信したメールにサイバー攻撃に関する禁止用語が含まれていることを検出する機能を備えている。これにより、付加情報受信部５は、その検出結果に応じて公共関連Ｇ２からサイバー攻撃に関するサイバーデータを受信及び解析するための命令信号を解析処理部２に出力するよう構成してもよい。
【００７８】
さらに、企業一般Ｇ３には、近年のソーシャルネットワーキングシステム（ＳＮＳ）を利用したメッセージを上述したＣＭ等として含ませることができる。この際、ＳＮＳ上にあれば、そのサイトの運営側の情報だけでなく、視聴者のメッセージ等を受信することも可能である。これにより、例えば、メッセージを校閲したうえで番組に合った演出効果でテロップ画像を提供することも可能である。
【００７９】
この際、ＳＮＳ上のメッセージ等には、個人情報の保護、誹謗・中傷等の禁止用語も多数含まれている場合が多い。このため、メッセージの受信からテロップ画像の送出までの全般に対してＳＮＳに投稿されたメッセージを受信・校閲し、テロップ画像を送出するのが望ましい。校閲機能には、所謂、放送禁止用語に加え、上述した一般的な禁止用語を予め登録しておくことで面倒な校閲なしにテロップ画像データを生成することができる。
【００８０】
また、上記外部データを受信した際には、連携機能として、災害情報システム用の公的情報に加え、他の災害情報システムからの外部入力と手動入力情報とを一つにまとめてテロップ画像データを生成する。受信データの変換時には、その内容を自動で取捨選択した編集及び配信先の指定を行うようにするのが望ましい。また、コンテンツプロバイダが提供する道路渋滞情報や鉄道運行情報など、幅広いニーズに合わせた情報を地域単位で作成するのが望ましい。
【００８１】
また、上述した開票速報や当選者一覧など選挙に必要なテロップ画像データを生成する場合、選挙番組に必要な開票速報画面、顔写真付きの当選当確者スーパー画面など、得票データに従ってリアルタイムで生成・送出できるよう、例えば、候補者名や開票区名、得票等のデータをデータベースに登録し、このデータベースからデータを受信してテロップ画面を生成する。この際、選挙データの入力をＷｅｂベースとし、端末を増やすことで国政選挙などの大規模な開票速報番組にも対応することができる。この際、目的や状況に合わせてマニュアルモード（選択画面の送出）とスケジュールモード（自動送出）のように複数のモードを使い分けるようにしてもよい。
【００８２】
これとは逆に、単発で地域性の高い首長選挙や補欠選挙等が同時に行われても、テロップ画像の生成を１画面（１区画）に限定せず、複数の同日選挙や注目選挙区などのように複数（例えば、４区画）に分割し、独立したテロップ画像データを生成可能とすることも可能である。公的なデータを利用するため、開票率などの自動計算はもちろん、按分票にも対応することができる。得票率のグラフ画面も自動で生成可能である。
【００８３】
防災情報をテロップ画像で報知する場合、公的機関から提供された受信データから即座にテロップ画像を作画し、緊急時の速報を安全・確実に送出することも可能である。このような場合、例えば、公的機関からの防災情報データを蓄積・管理するデータサーバと、複数の送出機にそれぞれ専用の送出アプリケーションを設定して構成することができる。
【００８４】
テロップ画像の素材となるテロップ画像データとしては、公知の図形ソフトやテロップ作成ソフトを用いて作成したものを利用することが可能である。この場合、プラグインでテロップ素材へ変換できるよう、公知の図形ソフト等で作成したコンポジション或はフッテージを、独自形式のアニメーションファイルに変換してテロップ画像として出力することができる。
【００８５】
したがって、変換には、多彩な形式や設定が可能となる。例えば、出力形式だけでなく内部保存形式、圧縮率、繰り返し回数、１コマの表示時間、連番ファイル出力オプション、代表フレーム等の設定をすれば、思い通りのアニメーションをテロップ素材として利用することも可能である。
【００８６】
また、地域の求める気象情報を的確かつタイムリーに伝えるなどの、地域限定した使用勝手も可能となる。独自の観測装置網を含む外部から得られる様々なデータを映像化できます。この場合、該当地域・局地に観測機を設置し、風向や風速、気温などのデータを映像化してテロップ画像として提供することも可能である。これにより、例えば、屋外スポーツ中継など、ゲームの状況並びに周辺環境の何れもがリアルタイムで変化する場合でも十分に対応可能となる。このように、テロップ表示システム１にあっては、ＴＶ放送や車載カメラのようなリアルタイム画像に対するテロップ画像の表示と、ビデオ画像のような予め作成した動画に対するテロップ画像の表示のいずれに対しても対応が可能である。
【００８７】
このように、本発明のテロップ表示システムは、多様化する映像出力技術毎に専用のプログラムや編集作業を要することなく、テロップ表示の汎用性を向上することができるという効果を有し、放送形態やテキスト文字にとらわれないテロップ表示を可能としたテロップ表示システム全般に適用することができる。
【符号の説明】
【００８８】
１  テロップ表示システム
２  解析処理部
３  配信部（アダプタ）
４  画像処理部
１１  撮影カメラ
Ｐ１  映像モニタ
Ｐ２  映像モニタ
Ｐ３  映像モニタ
Ｓ１  所定表示領域
Ｓ２  所定表示領域
Ｓ３  所定表示領域
【図１】
2018196076.tif 000003
【図２】
2018196076.tif 000004
【図３】
2018196076.tif 000005